(57)【特許請求の範囲】
【請求項１】
かつらベースの裏面外周に沿って固定されたフィルム、シート、紐又は糸状の部材からなる取付基部と、
フィルム又はシート状の部材であって、装着者の自毛を通すためのスリットを有する止着部材と、を備え、
前記取付基部が、間隔をおいた２つ以上の固定箇所を有し、２つの前記固定箇所の間が、前記かつらベースの裏面に対して非固定部になっており、
前記止着部材が、前記取付基部の非固定部に挿通され、前記スリットに装着者の自毛が通され、前記止着部材の一端側と他端側との間に前記自毛を挟んだ状態で、前記止着部材の一端側と他端側とが接着される、ことを特徴とするかつら。
【請求項２】
かつらベースの裏面外周に固定されたフィルム又はシート状の取付基部と、
フィルム又はシート状の部材であって、装着者の自毛を通すためのスリットを有する止着部材と、を備え、
前記取付基部が、間隔をおいた２つ以上の固定箇所を有し、２つの前記固定箇所の間が、前記かつらベースの裏面に対して非固定部になっており、
前記止着部材が、前記取付基部の非固定部に挿通され、前記スリットに装着者の自毛が通され、前記止着部材の一端側と他端側とを前記取付基部の上で互いに重ね合わせ、前記止着部材の一端側と他端側との間に前記自毛を挟んだ状態で、前記止着部材の一端側と他端側とが接着される、ことを特徴とするかつら。
【請求項３】
かつらベースの裏面外周に略平行に固定された紐状体又は糸状体である、少なくとも２本のレール部材と、
フィルム又はシート状の部材であって、装着者の自毛を通すためのスリットを有する止着部材と、を備え、
少なくとも一のレール部材が、間隔をおいた２つ以上の固定箇所を有し、２つの前記固定箇所の間が、前記かつらベースの裏面に対して非固定部になっており、
前記止着部材の一端側が、他のレール部材に固定されるとともに、
前記止着部材の他端側が、前記一のレール部材の非固定部に挿通されて巻き返され、前記スリットに装着者の自毛が通され、前記止着部材の他端側と一端側との間に前記自毛を挟んだ状態で、前記止着部材の他端側が一端側に接着される、ことを特徴とするかつら。
【請求項４】
前記他のレール部材が、間隔をおいた２つ以上の固定箇所を有し、２つの前記固定箇所の間が、前記かつらベースの裏面に対して非固定部になっており、
前記止着部材の一端側が、前記他のレール部材の非固定部に巻き返され、当該非固定部に接着されることなく、前記止着部材の一端側どうしが袋状に接着されるとともに、
前記止着部材の他端側が、前記一のレール部材の非固定部に挿通されて巻き返され、前記スリットに装着者の自毛が通され、前記止着部材の他端側と一端側との間に前記自毛を挟んだ状態で、前記止着部材の他端側が一端側に接着される、請求項３に記載のかつら。
【請求項５】
前記取付基部及び前記止着部材の少なくとも一方が、樹脂フィルム又はシートからなる基材と、当該基材の少なくとも外側になる面の光の反射を抑えるための反射防止手段とを含む、請求項１〜４のいずれか１項に記載のかつら。
【請求項６】
前記反射防止手段が、前記基材の少なくとも外側になる面に貼着されたネット状部材である、請求項５に記載のかつら。
【請求項７】
前記反射防止手段が、前記基材の少なくとも外側になる面に施された粗面処理である、請求項５に記載のかつら。
【請求項８】
前記止着部材を構成する、前記基材の接着する側の面に、多数の微小突起が設けられた、請求項５〜７のいずれか１項に記載のかつら。
【請求項９】
各レール部材が、それぞれ１本の長い紐状の部材からなり、互いに平行な２本のレール部材の一方が、前記かつらベースの裏面外周の縁部に沿って配設され、他方のレール部材が、前記一方のレール部材の内側に略平行に配設され、各レール部材の互いに対応する位置に、複数の前記固定箇所が設けられることにより、互いに対応する複数の前記非固定部が形成された、請求項３〜８のいずれか１項に記載のかつら。
【請求項１０】
前記かつらベースにおける毛髪の生え際、分け目又はつむじに対応する部分の少なくとも１つに、頭皮を模した合成樹脂又は織布からなる人工皮膚が配設された、請求項１〜９のいずれか１項に記載のかつら。
【請求項１１】
前記かつらベース全体がネット状部材からなり、当該ネット状部材の裏面外周に、合成樹脂又は織布からなる補強フィルム又はシートが配設され、当該補強フィルム又はシートを介して各レール部材が配設された、請求項１〜１０のいずれか１項に記載のかつら。
【請求項１２】
前記かつらベース全体が、合成樹脂製の人工皮膚からなる、請求項１〜１１のいずれか１項に記載のかつら。
【発明の詳細な説明】
【技術分野】
【０００１】
本発明は、装着者の自毛を利用して頭部に止着するかつらに関し、特に、繰り返し着脱しても、かつらベースに与えるダメージが極めて少ない止着構造を採用したかつらに関する。
【背景技術】
【０００２】
一般的なかつらは、長期装着型と短期装着型とに大きく分類される。このうち長期装着型のかつらは、装着者の自毛を利用して頭部に止着する自毛固定方式と、かつらベースの裏面に接着剤を塗布して装着者の頭皮に接着するベース接着方式とに分類される。一方、短期装着型のかつらは、かつらベースに設けた反転式のストッパー（ヘアピン）で装着者の自毛に固定するストッパー方式と、かつらベースに設けた両面テープで装着者の頭皮に接着する両面テープ方式とに分類される。
【０００３】
長期装着型のかつらは、非常に強固な固定が可能であり、日常生活でかつらが脱落してしまう心配が少なく、例えば、装着したままで激しい運動をしたり、水泳をしたりすることができる。一方、短期装着型のかつらは、長期装着型と比較して固定の強度が低く、長時間装着した場合にかつらがずれたり、脱落したりする可能性がある。その反面、短期装着型のかつらは、装着者自身で簡単に着脱することができるというメリットがある。
【０００４】
ここで、上述した自毛固定方式のかつらとしては、例えば、特許文献１〜８に記載されたようなものがある。特許文献１及び２には、糸状体を備えたかつら止着用部材１を、かつらベースの周縁部に接着し、糸状体に挿通した自毛を接着剤で固定するかつらが記載されている。
【０００５】
特許文献３には、ネット状基材の４箇所に両面テープ及び保護テープ（剥離紙）を積層した擬毛固定具を備え、当該擬毛固定具に形成した貫通孔から引き出した自毛を、２つ折りにした擬毛固定具の間に挟み込んで接着するかつらが記載されている。
【０００６】
引用文献４には、かつらベースの外周端と内周端との間に、非固着のネット状部材を設け、当該ネット状部材の網目から引き出した自毛を接着剤で固定するかつらが記載されている。
【０００７】
引用文献５には、かつらベースの周縁部に、複数のスリットを有する帯状体を設け、当該帯状体のスリットから引き出した自毛を、帯状体に接着剤で固定するかつらが記載されている。
【０００８】
引用文献６には、かつらベースの周縁部を、内層及び上層テープ材の二層構造とし、内層テープ材に形成したスリットから引き出した自毛を、これら内層及び上層テープ材の間に接着剤で固定するかつらが記載されている。
【０００９】
引用文献７には、かつらの周縁部に、２つの開孔と多数のモノフィラメントとを形成したシート状のかつら固定用部材を設け、かつら固定用部材の２つの開孔から引き出した自毛を、２つ折りにしたかつら固定用部材の間に挟み込んで接着剤で固定するかつらが記載されている。
【００１０】
引用文献８には、かつらベースが、偏平材料に切欠きを形成した保持具を備え、当該保持具の切欠きから引き出した自毛に、自己接着式ヘアバンドを貼り付けて固定するかつらが記載されている。
【先行技術文献】
【特許文献】
【００１１】
【特許文献１】特開平１１−３６１２４号公報
【特許文献２】特開平１０−３１７２２０号公報
【特許文献３】国際公開第９９／０４８３９４号
【特許文献４】特開平１１−３６１２３号公報
【特許文献５】特開平１１−８１０２１号公報
【特許文献６】特開平２００５−６０８９７号公報
【特許文献７】国際公開第２００８／１４９６９７号
【特許文献８】特表２００９−５４１６０５号公報
【発明の概要】
【発明が解決しようとする課題】
【００１２】
上述した特許文献１〜８のかつらは、いずれも止着部材をかつらベースの周縁部などに直接、接着固定した構成となっており、かつらを装着する場合は、装着者の自毛を止着部材に接着剤で固定していた。そして、かつらを取り外す場合は、有機溶剤系又は水系の除去剤を用いて接着剤を溶かし、あるいは固化した接着剤をペンチで粉砕して、自毛の固定を解除していた。
【００１３】
このため、上述した特許文献１〜８のかつらでは、かつらを何度も繰り返し着脱すると、止着部材が汚損ないし破損してしまい、止着部材を交換する度に、かつらベースの周縁部に物理的又は化学的なダメージを与えてしまうという問題があった。そして、かつらベースの周縁部が破損してしまった場合は、かつら本体が未だ美品であっても、もはやそのかつらを使用することはできない。
【００１４】
一方、上述した特許文献１〜８のかつらでは、止着部材から自毛の固定を解除するときに、接着剤を除去剤で溶かしたり、ペンチで粉砕したりしていたので、固定に用いた自毛が痛んでしまうという問題があった。このため、毎回、同じ部位の自毛をかつらの固定に用いれば、その部位の自毛が切れ毛になったり、脱毛してしまったりする。そこで、特定部位の自毛が痛まないように、かつらを装着する度に、固定に用いる自毛の部位を変更すればよい。しかし、上述した特許文献１〜８のかつらでは、自毛の止着位置を変更する度に、かつらベースの周縁部に付着する接着剤や両面テープの位置が変わり、かつらベースの周縁部にダメージを与える範囲が拡大するという問題がある。
【００１５】
さらに、上述した特許文献１〜８のかつらでは、装着者がかつらを装着した状態で、接着剤を除去剤で溶かしたり、ペンチで粉砕したりする作業を行わなければならず、かつらを取り外すときの作業性が悪いという問題があった。
【００１６】
本発明は、上記問題点に鑑みてなされたものであり、繰り返し着脱しても、かつらベースに与えるダメージが極めて少なく、かつらを取り外すときに自毛に与える負担を軽減することができ、かつらの着脱作業を効率よく行うことが可能な止着構造を採用した、かつらの提供を目的とする。
【課題を解決するための手段】
【００１７】
上記目的を達成するために、本発明の第１のかつらは、かつらベースの裏面外周に沿って固定されたフィルム、シート、紐又は糸状の部材からなる取付基部と、フィルム又はシート状の部材であって、装着者の自毛を通すためのスリットを有する止着部材と、を備え、前記取付基部が、間隔をおいた２つ以上の固定箇所を有し、２つの前記固定箇所の間が、前記かつらベースの裏面に対して非固定部になっており、前記止着部材を前記取付基部の非固定部に挿通し、前記スリットに装着者の自毛を通した後、前記止着部材の一端側と他端側との間に前記自毛を挟んだ状態で、前記止着部材の一端側と他端側と接着する構成としてある。
【００１８】
上記構成によれば、取付基部を介して、止着部材をかつらベースの裏面に間接的に固定しているので、止着部材を取り付けるための接着剤や両面テープを、かつらベースの裏面に付着させる必要がない。これにより、かつらの着脱時において、かつらベースに与える物理的又は化学的なダメージを大幅に低減することができ、長年にわたって着脱を繰り返しても、かつらベースの傷みは極めて少ない。
【００１９】
また、本発明のかつらでは、止着部材が使い捨てとなっており、接着剤や両面テープ、除去剤によって汚損した止着部材を取付基部から取り外し、かつらを着脱する度に新しい止着部材に交換することができる。さらに、止着部材を取付基部に取り付けているので、止着部材を頻繁に交換してもかつらベースは傷まない。そして、長年の使用により、取付基部が疲労した場合には、止着部材とともに取付基部を交換すればよい。このとき、取付基部の固定箇所の位置を変更することで、かつらベースの特定部分が疲労することを防止でき、かつらの長寿命化を図ることができる。
【００２０】
上記目的を達成するために、本発明の第２のかつらは、かつらベースの裏面外周に固定されたフィルム又はシート状の取付基部と、フィルム又はシート状の部材であって、装着者の自毛を通すためのスリットを有する止着部材と、を備え、前記取付基部が、間隔をおいた２つ以上の固定箇所を有し、２つの前記固定箇所の間が、前記かつらベースの裏面に対して非固定部になっており、前記止着部材を前記取付基部の非固定部に挿通し、前記スリットに装着者の自毛を通した後、前記止着部材の一端側と他端側とを前記取付基部の上で互いに重ね合わせ、前記止着部材の一端側と他端側との間に前記自毛を挟んだ状態で、前記止着部材の一端側と他端側と接着する構成としてある。
【００２１】
上記構成によれば、上述した第１の本発明と同様の作用効果を奏するほか、特に、取付基部をフィルム又はシート状としたことにより、薄く柔軟な取付基部及び止着部材が、装着者の頭部とかつらベース裏面との間に平らに収まり、装着者に違和感を与えず、かつらの装着感を良好にすることができる。
【００２２】
上記目的を達成するために、本発明の第３のかつらは、かつらベースの裏面外周に略平行に固定された紐状体又は糸状体である、少なくとも２本のレール部材と、フィルム又はシート状の部材であって、装着者の自毛を通すためのスリットを有する止着部材と、を備え、少なくとも一のレール部材が、間隔をおいた２つ以上の固定箇所を有し、２つの前記固定箇所の間が、前記かつらベースの裏面に対して非固定部になっており、前記止着部材の一端側を、他のレール部材に固定するとともに、前記止着部材の他端側を、前記一のレール部材の非固定部に挿通して巻き返し、前記スリットに装着者の自毛を通した後、前記止着部材の他端側と一端側との間に前記自毛を挟んだ状態で、前記止着部材の他端側を一端側に接着する構成としてある。
【００２３】
上記構成によれば、２本のレール部材を介して、止着部材をかつらベースの裏面に間接的に固定しているので、止着部材を取り付けるための接着剤や両面テープを、かつらベースの裏面に付着させる必要がない。これにより、かつらの着脱時において、かつらベースに与える物理的又は化学的なダメージを大幅に低減することができ、長年にわたって着脱を繰り返しても、かつらベースの傷みは極めて少ない。
【００２４】
また、本発明のかつらでは、止着部材が使い捨てとなっており、接着剤や両面テープ、除去剤によって汚損した止着部材をレール部材から取り外し、かつらを着脱する度に新しい止着部材に交換することができる。さらに、止着部材をレール部材に固定しているので、止着部材を頻繁に交換してもかつらベースは傷まない。そして、長年の使用により、レール部材が疲労した場合には、止着部材とともにレール部材を交換すればよい。このとき、レール部材の固定箇所の位置を変更することで、かつらベースの特定部分が疲労することを防止でき、かつらの長寿命化を図ることができる。
【００２５】
ここで、本発明における「レール部材」は、例えば、ナイロン、ポリエステル、アクリル等の合成繊維、綿、麻、絹等の天然繊維などを編んだ紐、これら合成又は天然繊維の一本若しくは複数本に撚りをかけた糸（天然又は人工の天蚕糸を含む）が含まれる。レール部材は、かつらベースほどの成型性、耐熱性を必要としないので、かつらを固定するのに十分な強度が得られる種々の合成樹脂材料を用いることが可能である。
【００２６】
さらに、「少なくとも２本のレール部材」のそれぞれは、互いに平行な異なる軌道上に設けられ、同一軌道上に配設されるレール部材は、後述するような１本の長いレール部材であってもよく、又は複数本の短いレール部材の集合であってもよい。
【００２７】
これに加え、「フィルム又はシート状」の用語は、本発明のかつらに用いられる「取付基部」及び「止着部材」の厚さを表現したものであるが、「フィルム」及び「シート」の一般的な定義はない。このため、本発明における「止着部材」には、社会通念上の「フィルム又はシート」に含まれる程度の厚さを有するものが広く含まれる。
【００２８】
好ましくは、上述した本発明における、前記他のレール部材が、間隔をおいた２つ以上の固定箇所を有し、２つの前記固定箇所の間が、前記かつらベースの裏面に対して非固定部になっており、前記止着部材の一端側を、前記他のレール部材の非固定部に巻き返し、当該非固定部に接着することなく、前記止着部材の一端側どうしを袋状に接着するとともに、前記止着部材の他端側を、前記一のレール部材の非固定部に挿通して巻き返し、前記スリットに装着者の自毛を通した後、前記止着部材の他端側と一端側との間に前記自毛を挟んだ状態で、前記止着部材の他端側を一端側に接着する構成にするとよい。
【００２９】
上記構成によれば、止着部材の袋状に接着した箇所を切断することによって、装着者の頭部から簡単にかつらを取り外すことが可能である。すなわち、袋状に接着した止着部材の一端側を切断することで、他のレール部材の非固定部から簡単に分離することができる。また、止着部材の他端側を、一のレール部材の非固定部に接着することなく、袋状に接着すれば、当該他端側を切断することで、一のレール部材の非固定部から簡単に分離することができる。装着者の頭部からかつらを取り外した後は、専用の作業スペースなどに移動して、かつらの点検やメンテナンス、新しい止着部材の取付作業などを効率よく行うことが可能である。
【００３０】
一方、かつらから分離した止着部材は、装着者の自毛の方に残り、止着部材に付着した接着剤を除去剤で溶かして、自毛から簡単に取り除くことができる。接着剤や除去剤は、使い捨ての止着部材にしか付着せず、接着剤や除去剤でかつらベースやレール部材がダメージを受けることはない。このような止着部材の除去作業は、かつらを完全に取り外した状態で行うことができるので、作業効率が極めて良く、装着者に痛みやストレスを感じさせず、スムーズに進めることが可能である。
【００３１】
好ましくは、上述した本発明における、前記取付基部及び前記止着部材の少なくとも一方が、樹脂フィルム又はシートからなる基材と、当該基材の少なくとも外側になる面の光の反射を抑えるための反射防止手段とを含む構成にするとよい。より好ましくは、前記反射防止手段が、前記基材の少なくとも外側になる面に貼着されたネット状部材である構成、又は前記反射防止手段が、前記基材の少なくとも外側になる面に施された粗面処理である構成にするとよい。
【００３２】
このような構成によれば、かつらベースの内側に隠れたフィルム又はシート状の取付基部及び止着部材の反射を抑え、かつらの外観をより自然に見せることができる。
【００３３】
好ましくは、上述した止着部材を構成する、前記基材の接着する側の面に、多数の微小突起を設けた構成にするとよい。
【００３４】
このような構成によれば、スリットに通した自毛を、止着部材の接着する側の面で挟んだときに、多数の微小突起の間に自毛が係止され、接着剤や粘着テープによる自毛の保持力を向上させることができる。
【００３５】
好ましくは、上述した本発明における、各レール部材が、それぞれ１本の長い紐状の部材からなり、互いに平行な２本のレール部材の一方が、前記かつらベースの裏面外周の縁部に沿って配設され、他方のレール部材が、前記一方のレール部材の内側に略平行に配設され、各レール部材の互いに対応する位置に、複数の前記固定箇所を設けることにより、互いに対応する複数の前記非固定部を形成した構成にするとよい。
【００３６】
上記構成によれば、一本の長いレール部材に４つ以上の固定箇所を設ける、といった簡単な構成で複数の非固定部を並設することができる。また、かつらを装着する度に、止着部材を取り付ける非固定部を変更することで、固定に用いる自毛の部位を変更することが可能となり、特定部位の自毛に負担が集中することを防止できる。さらに、各レール部材を一本ずつとした場合は、かつら全体の部品点数を少なくでき、新しいレール部材への交換を容易に行うことが可能となる。
【００３７】
好ましくは、前記かつらベースにおける毛髪の生え際、分け目又はつむじに対応する部分の少なくとも１つに、頭皮を模した合成樹脂又は織布からなる人工皮膚を配設した構成とするとよい。
【００３８】
このような構成によれば、毛髪の生え際、分け目又はつむじに対応する部分の地肌を人工皮膚で模倣することができ、これらの箇所を自然に見せることができる。
【００３９】
ここで、本発明における「人工皮膚」には、例えば、ポリウレタンやシリコーン等の合成樹脂からなる肌色のフィルム又はシート、若しくはナイロン、ポリエステル、アクリル等の合成繊維、綿、麻、絹等の天然繊維からなる目の細かい肌色の織布（メッシュ又はネットを含む）が含まれる。このような人工皮膚は、かつらベースにおける毛髪の生え際、分け目又はつむじに対応する部分に貼着してもよく、若しくはかつらベースにおける毛髪の生え際、分け目又はつむじに対応する部分を人工皮膚で構成してもよい。
【００４０】
好ましくは、前記かつらベース全体がネット状部材からなり、当該ネット状部材の裏面外周に、合成樹脂又は織布からなる補強フィルム又はシートを配設し、当該補強フィルム又はシートを介して各レール部材を配設した構成とするとよい。
【００４１】
このような構成によれば、かつらを固定したときに負荷が掛かるかつらベースの外周を補強することができ、かつらベースの耐久性を向上させて、かつらの寿命を延ばすことが可能となる。
【００４２】
ここで、本発明におけるかつらベースを構成する「ネット状部材」の材料としては、例えば、ナイロン、ポリエステル、アクリル等の合成繊維、又は綿、麻、絹等の天然繊維などを用いることが可能であり、好ましくは、成型性及び耐熱性に優れた合成繊維を用いるとよい。
【００４３】
また、本発明における「補強フィルム又はシート」としては、例えば、ポリウレタン製のフィルム又はシートを、かつらベースのネット状部材に縫着又は熱溶着する。なお、このような補強フィルム又はシートは、本発明の必須の構成要件ではなく、かつらベースの周縁部の強度に応じて設ければよい。例えば、補強フィルム又はシートを設けずに、かつらベースの周縁部を裏側に折り返した二重構造にして補強を図ってもよい。
【００４４】
また、本発明のかつらは、かつらベース全体がネット状部材からなる構成に限定されるものではない。例えば、前記かつらベース全体が、合成樹脂製の人工皮膚からなる構成としてもよい。
【発明の効果】
【００４５】
本発明のかつらによれば、繰り返し着脱しても、かつらベースに与えるダメージが極めて少なく、かつらを取り外すときに自毛に与える負担を軽減することができ、かつらの着脱作業を効率よく行うことが可能となる。
【図面の簡単な説明】
【００４６】
【図１】本発明の第１実施形態に係るかつらを裏面から見た状態を示す概略図である。
【図２】上記かつらを構成するレール部材及び止着部材を示す部分拡大図である。
【図３】図２に示したレール部材及び止着部材の断面図である。
【図４】上記かつらの装着手順を示すものであり、同図（ａ）は、上記かつらを装着者の頭部に載置した状態、同図（ｂ）は、上記かつらの周縁部をめくって止着部材を露出させた状態を示す概略図である。
【図５】図４（ｂ）に示した止着部材のスリットに、自毛引き出し用のスティックを挿入した状態を示す概略図である。
【図６】図５に示した止着部材のスリットから自毛を引き出した状態を示す概略図である。
【図７】図６に示した止着部材を接着し、スリットから引き出した自毛を挟んで固定した状態を示す概略図である。
【図８】図７に示した止着部材の一端側を切断する過程の状態を示す概略図である。
【図９】図８に示した止着部材の一端側の切断が完了した状態を示す概略図である。
【図１０】図９に示した止着部材の他端側を切断する過程の状態を示す概略図である。
【図１１】図９に示した止着部材の他端側の切断が完了した状態を示す概略図である。
【図１２】同図（ａ）〜（ｄ）は、本発明の変更例に係るかつらの要部を示す概略図である。
【図１３】同図（ａ）及び（ｂ）は、本発明の変更例に係るかつらの要部を示す概略図である。
【図１４】本発明の第２実施形態に係るかつらを裏面から見た状態を示す概略図である。
【図１５】上記かつらを構成する取付基部及び止着部材を示す部分拡大図である。
【図１６】図１５に示した取付基部及び止着部材の断面図である。
【図１７】止着部材のスリットに、自毛引き出し用のスティックを挿入した状態を示す概略図である。
【図１８】図１７に示した止着部材を接着し、スリットから引き出した自毛を挟んで固定した状態を示す概略図である。
【図１９】図１８に示した止着部材を接着し、スリットから引き出した自毛を挟んで固定した状態を示す概略図である。
【発明を実施するための形態】
【００４７】
１．第１実施形態
＜全体構成＞
以下、本発明の第１実施形態に係るかつらについて、図面を参照しつつ説明する。図１において、本実施形態のかつら１は、主として、ネット状部材からなるかつらベース１０に、人工毛又は人毛である毛髪１１を結着し、表面側に引き出した構成となっている。かつらベース１０の裏面には、生え際に対応する箇所に人工皮膚１２Ａが配設してあり、分け目及びつむじに対応する箇所に人工皮膚１２Ｂが配設してある。
【００４８】
また、かつらベース１０の裏面の外周縁に沿って、１本の紐状の第１のレール部材（取付基部）１３が配設してあり、当該第１のレール部材１３の内側には、これと同様の構成からなる第２のレール部材（取付基部）１４が、略平行に配設してある。そして、第１及び第２のレール部材１３、１４に跨って、複数の止着部材２０、２０、２０・・・が、互いに間隔をおいて取り付けてある。なお、図１は、各止着部材２０の一端側のみを、第１のレール部材１３に巻き返して固定した状態を示す。
【００４９】
＜かつらベース＞
本実施形態のかつらベース１０は、装着者の頭部に合わせた椀状のネット状部材で構成してある。ネット状部材の材料としては、成型性及び耐熱性等に優れたナイロン、ポリエステル、アクリルなどの合成樹脂が好ましい。但し、綿、麻、絹等の天然繊維からなるネット状部材を用いてもよい。
【００５０】
かつらベース１０を構成するネット状部材の色は、これに植設する毛髪１１の色と近似した黒色、茶色又は白色などにするとよい。これにより、かつらベース１０に結着した毛髪１１の結び目が目立たなくなる効果がある。また、かつらベース１０を構成するネット状部材のうち、少なくとも人工皮膚１２Ａ、１２Ｂに対応する箇所の色を肌色にしてもよい。
【００５１】
＜人工皮膚＞
人工皮膚１２Ａ、１２Ｂは、例えば、ポリウレタンやシリコーン等の合成樹脂からなる肌色のフィルム又はシート、若しくはナイロン、ポリエステル、アクリル等の合成繊維、綿、麻、絹等の天然繊維からなる目の細かい肌色の織布（メッシュ又はネットを含む）により構成してある。
【００５２】
各人工皮膚１２Ａ、１２Ｂは、その周縁部をかつらベース１０に縫着してあり、毛髪１１の生え際、分け目及びつむじの部分で地肌のように見える役割を果たす。各人工皮膚１２Ａ、１２Ｂに、合成樹脂製のフィルム又はシートを用いた場合は、人間の頭皮の質感をリアルに再現することができ、見た目がより自然となる。一方、合成繊維又は天然繊維の織布を用いた場合は、かつら１の通気性が良好となり、耐久性が向上する利点がある。
【００５３】
＜レール部材＞
本実施形態では、第１及び第２のレール部材１３、１４を、それぞれ合成繊維を編んだ１本の長い紐状としてある。第１及び第２のレール部材１３、１４の材料は、特に限定されないが、装着感、金属アレルギーや空港の金属探知機を考慮すると、金属、金属繊維以外の合成繊維又は天然繊維が好ましい。
【００５４】
第１及び第２のレール部材１３、１４としては、例えば、ナイロン、ポリエステル、アクリル等の合成繊維、綿、麻、絹等の天然繊維などを編んだ紐を用いることができる。特に、第１及び第２のレール部材１３、１４は、かつらベース１０ほどの成型性、耐熱性を必要としないので、かつら１を固定するのに十分な強度が得られる種々の合成樹脂材料を用いることが可能である。また、第１及び第２のレール部材１３、１４の形態は、紐状に限らず、例えば、合成又は天然繊維の一本若しくは複数本に撚りをかけた糸状としてもよいし、幅狭の帯状としてもよい。
【００５５】
このような第１及び第２のレール部材１３、１４は、間隔をおいた多数の固定箇所１３ａ、１３ａ、１３ａ・・・及び１４ａ、１４ａ、１４ａ・・・のところで、かつらベース１０に縫着してある。２つの固定箇所１３ａ、１３ａ及び１４ａ、１４ａの間は、かつらベース１０の裏面に対して非固定部１３ｂ、１３ｂ、１３ｂ・・・及び１４ｂ，１４ｂ，１４ｂ・・・になっている。なお、説明の便宜上、図１においては、各固定箇所１３ａ、１４ａを白い円で図示しているが、実際は、第１及び第２のレール部材１３、１４とほぼ同じの色の糸で縫着するので、各固定箇所１３ａ、１４ａは目立たない。
【００５６】
＜止着部材＞
図１に示すように、第１及び第２のレール部材１３、１４の、互いに対応する非固定部１３ｂ、１４ｂには、止着部材２０が取り付けてある。図２の下側に示す止着部材２０のように、かつら１の装着前は、止着部材２０の一端側２０Ａのみを、第１のレール部材１３の非固定部１３ｂに巻き返し（図３の符号２０Ａを付した点線を参照）、非固定部１３ｂに接着することなく、一端側２０Ａどうしを袋状に接着してある。一方、止着部材２０の他端側２０Ｂは、第２のレール部材１４の非固定部１４ｂの下に挿通してある。
【００５７】
ここで、図３は、図２の上側に示す取り付け前の止着部材２０の断面図である。図３に示すように、本実施形態の止着部材２０は、基材としての透明樹脂フィルム２１に、反射防止手段としてのネット状部材２２を積層した二層構造になっている。止着部材２０は、かつらベース１０の裏面を基準として、透明樹脂フィルム２１が上、ネット状部材２２が下になるように、第１のレール部材１３の非固定部１３ｂに取り付けてある。
【００５８】
なお、止着部材２０の材料は、特に限定されるものではない。かつら１の固定手段としての耐久性と接着性、及び巻き返しや折り曲げを容易に行える程度の柔軟性を有するものであれば、合成又は天然のあらゆるフィルム又はシート状の材料を、止着部材２０として用いることが可能である。
【００５９】
図２に示すように、止着部材２０の中央付近には、折り目線２３が入れてあり、当該折り目線２３を境にして、他端側２０Ｂを一端側２０Ａに折り曲げやすくしてある（図３の符号２０Ｂを付した点線を参照）。止着部材２０の折り目線２３よりも他端側２０Ｂには、装着者の自毛を挿通するためのスリット２４が形成してある。説明の便宜上、図１〜図３に示すスリット２４は、面積のある細い開口孔として図示したが、実際は、止着部材２０に切り込みを入れるだけの構成とするのがよい。スリット２４を単なる切り込みとした方が、面積のある開口孔よりも、挿通した自毛の保持力が高くなる。
【００６０】
後に詳述するが、折り目線２３に沿って止着部材２０を折り曲げると、反射防止のネット状部材２２が外側を覆い、透明樹脂フィルム２１の平滑面が内側で対向する。外側を覆うネット部材２２の色は、かつらベース１０に植設する毛髪１１の色と近似した黒色、茶色又は白色などにするとよい。一方、内側で対向する透明樹脂フィルム２１の平滑面は、接着剤や両面テープなどの接着面となり、かつら１を装着する際に、スリット２４に挿通した装着者の自毛を挟んだ状態で接着する。
【００６１】
＜レール部材及び止着部材の実施例＞
次に、第１及び第２のレール部材１３、１４、止着部材２０の寸法に関する一実施例について、図１〜３を参照しつつ説明する。
【００６２】
第１及び第２のレール部材１３、１４は、かつら１が日本で市販されている通常のサイズのものであれば、図１に示すような生え際部分を除いた全長が、おおよそ３５ｃｍ前後になる。
【００６３】
第１及び第２のレール部材１３、１４の各固定箇所１３ａと１３ａ、１４ａと１４ａの間隔（＝各非固定部１３ｂ、１４ｂの幅）は、止着部材２０の横幅（短辺）の寸法に基づいて定める。各非固定部１３ｂ、１４ｂの幅は、図２の上側に示した止着部材２０のように、止着部材２０の両側に数ｍｍの可動範囲（遊び）Ｌ、Ｌを確保できる寸法にするとよい。止着部材２０の可動範囲Ｌ、Ｌを設けることで、止着部材２０を自毛へ固定するときに位置の微調整が可能となり、かつら１の装着作業が容易となる。
【００６４】
例えば、次に述べるように、止着部材２０の横幅を２．０ｃｍとしたならば、各非固定部１３ｂ、１４ｂの幅は２．５ｃｍ程度にするとよい。この場合は、５ｍｍの範囲で止着部材２０の位置を、各固定箇所１３ａと１３ａ、１４ａと１４ａの間で調整することができる。
【００６５】
止着部材２０は、図２の上側に示した止着部材２０のように、一端側２０Ａ及び他端側２０Ｂを巻き返して接着する前の状態において、例えば、長さ（長辺）を横幅（短辺）の約２倍に設定するとよい。例えば、止着部材２０の横幅を２．０ｃｍとし、長さを４．１ｃｍとする。また、止着部材２０の横幅２．０ｃｍに対して、スリット２４は、例えば、横幅１ｃｍ程度の切り込みとする。
【００６６】
止着部材２０の長さは、図２の下側に示した止着部材２０及び図３に示すように、一端側２０Ａ及び他端側２０Ｂを巻き返して接着する部分の長さを考慮して定める。例えば、止着部材２０の長さを４．１ｃｍとした場合、非固定部１３ｂに対する一端側２０Ａの巻き返し長さを０．５ｃｍとし、非固定部１４ｂに対する他端側２０Ｂの巻き返し長さを１．８ｃｍとする。この場合、図７に示す自毛の固定時において、一端側２０Ａ及び他端側２０Ｂを巻き返して接着した止着部材２０の長さは１．８ｃｍになる。
【００６７】
ここで、止着部材２０の長さ寸法を大きくすると、固定する自毛の長さ、一端側２０Ａ及び他端側２０Ｂの接着面積が増大する。しかし、止着部材２０の長さ寸法をあまり大きくしすぎると、装着したときにかつら１の内側で止着部材２０が嵩張ったり、短い自毛を安定して固定することができなくなったりしてしまう。このような観点から、止着部材２０の長さ寸法は適度な大きさとするとよい。
【００６８】
一方、止着部材２０の横幅寸法を大きくすると、スリット２４の横幅寸法も大きくすることができるので、スリット２４の近傍に自毛が生えていれば、スリット２４に挿通する自毛の本数を増やすことができ、かつら１の固着力を増大させることに可能である。しかし、止着部材２０の横幅寸法をあまり大きくしすぎると、第１及び第２のレール部材１３、１４に多くの非固定箇所１３ｂ、１４ｂを設けることができなくなり、止着部材２０の固定箇所１３ｂ、１４ｂのローテーションを行うことができなくなる。このような観点から、止着部材２０の横幅寸法は適度な大きさとするとよい。
【００６９】
＜かつらの装着手順＞
次に、上述した本実施形態に係るかつら１の装着手順について、図４〜図７を参照しつつ説明する。なお、図面を分かりやすくするために、図１に示したかつら１の毛髪１１の図示は省略する。また、以下の説明において、かつら１の各止着部材２０は、図１及び図２の下側に示す止着部材２０のように、あらかじめ、一端側２０Ａを、第１のレール部材１３の非固定部１３ｂに巻き返して袋状に接着するとともに、他端側２０Ｂを、第２のレール部材１４の非固定部１４ｂの下に挿通したものとする。
【００７０】
まず、図４（ａ）に示すように、本実施形態のかつら１を装着者の頭部に載置する。次いで、同図（ｂ）に示すように、かつらベース１０の各止着部材２０、２０、２０・・・に対応する箇所を順番に捲って、当該箇所の止着部材２０を外部に露出させる。
【００７１】
次いで、図５に示すように、先端が鉤状に曲がったスティック３０を、止着部材２０のスリット２４に挿通し、図６に示すように、装着者の自毛１００をスリット２４から引き出す。ここで、図５に示す状態において、スリット２４から引き出す自毛１００は、かつらベース１０を捲っていない状態（図４を参照）にしたときに、スリット２４の近傍に生えている自毛１００を選ぶ。
【００７２】
すなわち、スリット２４から自毛１００を引き出したときに、当該自毛１００の根本１０１（図５の点線で囲った部分を参照）が、スリット２４の近傍に位置するように止着すると、かつら１を安定して固定することができる。本実施形態では、図２に示す折り目線２３の位置を調整することで、止着部材２０を巻き返したときに、スリット２４の位置が、第２のレール部材１４とほぼ一致するようにしてある。これにより、スリット２４から引き出した自毛１００の根本１０１が、第２のレール部材１４の近傍に位置し、引き出した自毛１００が第２のレール部材１４の非固定部１４ｂに適度なテンションを与え、かつら１を安定して固定することができる。また、第２のレール部材１４の位置を基準にして、スリット２４に挿通すべき最適な位置の自毛１００を容易に選択することができる。なお、スリット２４から自毛１００を引き出しすぎると頭皮に過負荷が掛かり、自毛１００の引き出しが足りないと、かつら１を安定して固定できなくなるため、このような観点から、自毛１００の適度な引き出し量を決定する。
【００７３】
次いで、図７に示すように、スリット２４から自毛１００を適度に引き出した後は、この状態を維持しつつ、止着部材２０の他端側２０Ｂを、第２のレール部材１４の非固定部１４ｂを中心にして一端側２０Ａへ巻き返す。そして、止着部材２０の他端側２０Ｂと一端側２０Ａとの間に自毛１００を挟んだ状態で、止着部材２０の他端側２０Ｂを一端側２０Ａに接着する。この接着は、例えば、接着剤又は両面テープのいずれによるものでもよい。接着剤と両面テープを併用してもかまわない。好ましくは、止着部材２０の巻き返した他端側２０Ｂが、第２のレール部材１４の非固定部１４ｂに接着しないよう、一端側２０Ａに袋状に接着するとよい。
【００７４】
ここで、自毛１００の固定に用いる接着剤としては、従来から用いられているラテックス系、シリコーン系、エポキシ系又はポリウレタン系等の毛髪用接着剤を適用することが可能であるが、自毛１００を痛めない無溶剤系、水系の接着剤を用いることが好ましい。
【００７５】
以上のような手順を繰り返し、本実施形態のかつら１に設けた全ての止着部材２０、２０、２０・・・を自毛１００に固定することで、本かつら１の頭部への装着は完了する。
【００７６】
＜かつらの取り外し手順＞
次に、上述した本実施形態に係るかつら１の取り外し手順について、図８〜図１１を参照しつつ説明する。
【００７７】
例えば、図８に示すように、止着部材２０の袋状に接着した一端側２０Ａに鋏２００を挿通させる。そして、第１のレール部材１３の非固定部１３ｂ及び装着者の自毛１００を切断することなく、一端側２０Ａのみを鋏２００で切断する。すると、図９に示すように、止着部材２０の一端側２０Ａが開いた状態となり、第１のレール部材１３の非固定部１３ｂから分離する。
【００７８】
次いで、図１０に示すように、止着部材２０の袋状に接着した他端側２０Ｂに鋏２００を挿通させ、第２のレール部材１４の非固定部１４ｂ及び装着者の自毛１００を切断することなく、他端側２０Ｂのみを鋏２００で切断する。すると、図１１に示すように、止着部材２０の他端側２０Ｂが、第２のレール部材１４の非固定部１４ｂから分離し、止着部材２０が装着者の自毛１００の方に残る。
【００７９】
その後、全ての止着部材２０、２０、２０・・・について、上記と同様に一端側２０Ａと他端側２０Ｂを鋏２００で切断すると、かつら１を装着者の頭部から簡単に取り外すことができる。一方、装着者の自毛１００の方に残った止着部材２０は、図１１に示すように、その切断箇所が開いた状態になるので、ここから除去剤を塗布して接着剤を溶かし、簡単に自毛１００から取り除くことが可能である。すなわち、開いた切断箇所から接着剤に直接、除去剤を塗布することができ、除去剤が接着剤に浸透しやすい。また、止着部材２０の切断箇所は、もともと袋状であった非接着部分なので、この非接着部分を指でつまんで、接着剤を溶かした止着部材２０を容易に開かせることができる。
【００８０】
なお、図９に示すように、止着部材２０の一端側２０Ａを切断した時点で、その開いた切断箇所に除去剤を塗布して接着剤を溶かし、止着部材２０の他端側２０Ｂを切断せずに、止着部材２０を自毛１００から取り除くこともできる。
【００８１】
＜作用効果＞
上述した本実施形態に係るかつら１は、主として、下記（１）〜（６）のような作用効果を奏する。
【００８２】
（１）２本のレール部材１３、１４を介して、止着部材２０をかつらベース１０の裏面に間接的に固定しているので、止着部材２０を取り付けるための接着剤や両面テープを、かつらベース１０の裏面に付着させる必要がない。これにより、かつら１の着脱時において、かつらベース１０に与える物理的又は化学的なダメージを大幅に低減することができ、長年にわたって着脱を繰り返しても、かつらベース１０の傷みは極めて少ない。
【００８３】
（２）本実施形態のかつら１では、止着部材２０が使い捨てとなっており、接着剤や両面テープ、除去剤によって汚損した止着部材２０を各レール部材１３、１４から取り外し、かつら１を着脱する度に新しい止着部材２０に交換することができる。
【００８４】
（３）止着部材２０を各レール部材１３、１４に固定しているので、止着部材２０を頻繁に交換してもかつらベース１０は傷まない。そして、長年の使用により、各レール部材１３、１４が疲労した場合には、止着部材２０とともに各レール部材１３、１４を交換すればよい。このとき、各レール部材１３、１４の固定箇所１３ａ、１４ａの位置を変更することで、かつらベース１０の特定部分が疲労することを防止でき、かつら１の長寿命化を図ることができる。
【００８５】
（４）止着部材２０の袋状に接着した箇所を切断することによって、装着者の頭部から簡単にかつら１を取り外すことが可能である。すなわち、袋状に接着した止着部材２０の一端側２０Ａを切断することで、第１のレール部材１３の非固定部１３ｂから簡単に分離することができる。また、本実施形態では、止着部材２０の他端側２０Ｂを、第２のレール部材１４の非固定部１４Ｂに接着することなく、袋状に接着しているので、当該他端側２０Ｂを切断することで、第２のレール部材１４の非固定部１４ｂから簡単に分離することができる。装着者の頭部からかつら１を取り外した後は、専用の作業スペースなどに移動して、かつら１の点検やメンテナンス、新しい止着部材２０の取付作業などを効率よく行うことが可能である。
【００８６】
（５）かつら１から分離した止着部材２０は、装着者の自毛１００の方に残り、止着部材２０に付着した接着剤を除去剤で溶かして、自毛１００から簡単に取り除くことができる。接着剤や除去剤は、使い捨ての止着部材２０にしか付着せず、接着剤や除去剤でかつらベース１０や各レール部材１３、１４がダメージを受けることはない。このような止着部材２０の除去作業は、かつら１を完全に取り外した状態で行うことができるので、作業効率が極めて良く、装着者に痛みやストレスを感じさせず、スムーズに進めることが可能である。
【００８７】
（６）その他、止着部材２０の外側になる面に、反射防止手段としてのネット状部材２２を貼着しているので、かつらベース１０の内側に隠れた複数の止着部材２０、２０、２０・・・の反射を抑え、かつら１の外観をより自然に見せることができる。
【００８８】
＜その他の変更例＞
本発明のかつらは、上述した図１〜図１１に示す実施形態の構成に限定されるものではない。以下、本発明のかつらの変更例について、図１２（ａ）〜（ｄ）及び図１３（ａ）、（ｂ）を参照しつつ説明する。
【００８９】
＜＜変更例１＞＞
図１２（ａ）に示すように、ネット状部材からなるかつらベース１０の裏面外周に、合成樹脂又は織布からなる補強シート（又はフィルム）４０を配設し、当該補強シート４０を介して第１及び第２のレール部材１３、１４を配設した構成としてもよい。
【００９０】
このような構成によれば、かつら１を固定したときに負荷が掛かるかつらベース１０の外周を補強することができ、かつらベース１０の耐久性を向上させて、かつら１の寿命を延ばすことが可能となる。
【００９１】
補強シート４０としては、例えば、ポリウレタン製のシート（又はフィルム）を、かつらベース１０のネット状部材に縫着又は熱溶着する。なお、このような補強シート４０は、本発明の必須の構成要件ではなく、かつらベース１０の周縁部の強度に応じて設ければよい。例えば、補強シート４０を設けずに、かつらベースの周縁部を裏側に折り返した二重構造にして補強を図ってもよい。
【００９２】
＜＜変更例２＞＞
図１２（ｂ）に示すように、例えば、止着部材２０を構成する透明樹脂フィルム２１に、多数の線状の凹部又は凸部２１ａ、２１ａ、２１ａ・・・を形成した構成としてもよい。このような凹部又は凸部２１ａを設けることにより、止着部材２０の接着面である透明樹脂フィルム２１の摩擦抵抗を増大させることができ、接着剤によるかつら１の保持力を向上させることができる。なお、透明樹脂フィルム２１に設ける凹部又は凸部は、線状に限らず、多数の点状の凹部又は凸部であってもよい。
【００９３】
＜＜変更例３＞＞
図１２（ｃ）に示すように、例えば、止着部材２０を構成する透明樹脂フィルム２１に、多数の微小突起２１ｂ、２１ｂ、２１ｂ・・・を設けた構成にしてもよい。このような微小突起２１ｂを設けることにより、スリット２４に通した自毛１００を、止着部材２０の接着面で挟んだときに、多数の微小突起２１ｂ、２１ｂ、２１ｂ・・・の間に自毛１００が係止され、接着剤や粘着テープによる自毛１００の保持力を向上させることが可能となる。微小突起２１ｂの形状は、例えば、半球状、円柱状、略キノコ形、面ファスナの一方を構成するフック型などとする。
【００９４】
＜＜変更例４＞＞
図１２（ｄ）に示すように、例えば、止着部材２０に二以上のスリット２５ａ、２５ｂ、２５ｃを形成し、これらスリット２５ａ〜２５ｃから装着者の自毛１００を交互に引き出す構成としてもよい。このような構成によれば、これら２５ａ〜２５ｃから自毛１００が抜けにくくなり、止着部材２０によるかつら１の保持力を向上させることができる。
【００９５】
＜＜変更例５＞＞
上述した実施形態では、止着部材２０の一端側２０Ａ及び他端側２０Ｂのそれぞれを、各レール部材１３、１４に接着することなく、袋状に巻き返して接着したが、この構成に限定されるものではない。例えば、図１３（ａ）に示すように、止着部材２０の一端側１０Ａを第１のレール部材１３に縫着し、又は同図（ｂ）に示すように、止着部材２０の一端側２０Ａを第１のレール部材１３に接着した構成としてもよい。
【００９６】
＜＜その他の変更＞＞
本発明のかつらは、上述した実施形態の構成に限定されるものではなく、その他種々の変更が可能である。例えば、上述した実施形態では、かつらベース１０の裏面に２本のレール部材１３、１４を設けた構成としたが、３本以上のレール部材を設けてもよい。また、上述した実施形態では、かつらベース１０をネット状部材で構成したが、かつらベース全体を、合成樹脂製の人工皮膚で構成してもよい。
【００９７】
２．第２実施形態
以下、本発明の第２実施形態に係るかつらについて、図１４〜図１９を参照しつつ説明する。なお、以下に説明する第２実施形態において、上述した第１実施形態のかつらと同様の構成については同一の符号を付して詳細な説明は省略する。
【００９８】
＜取付基部＞
図１４において、本実施形態に係るかつら２は、かつらベース１０の裏面外周縁に沿って、フィルム又はシート状の取付基部１５を配設した構成になっている。取付基部１５は、間隔をおいた多数の固定箇所１５ａ、１５ａ、１５ａ・・・のところで、かつらベース１０に縫着してある。２つの固定箇所１５ａ、１５ａの間は、かつらベース１０の裏面に対して非固定部１５ｂ、１５ｂ、１５ｂ・・・になっている。取付基部１５の寸法としては、例えば、短手方向の幅を約１０ｍｍ程度とし、約２０〜３０ｍｍ程度の間隔で固定箇所１５ａ、１５ａ、１５ａ・・・を縫着する。
【００９９】
そして、非固定部１５ｂ、１５ｂ、１５ｂ・・・のうち、所定の非固定部１５ｂ（例えば、図１４の前側、左右側、後側の非固定部１５ｂ）には、自毛を接着固定するための止着部材２０、２０、２０・・・が取り付けられる。
【０１００】
図１５及び図１６に示すように、止着部材２０は、所定の非固定部１５ｂに挿通され、自毛を接着固定する過程において、その一端側２０Ａと他端側２０Ｂとが、この順番で折り曲げられ、取付基部１５の上で互いに重ね合わせられる（図１５の上、中、下に示す止着部材２０を参照）。自毛は、互いに重ね合わせられた一端側２０Ａと他端側２０Ｂとの間に接着固定される。このようなかつらの装着手順については、後に図１７〜図１９を参照しつつ詳述する。
【０１０１】
ここで、図１５に示すように、本実施形態では、かつらベース１０の外周縁に、約３ｍｍ程度の幅の狭いベース縁縫製部１６が設けてあり、このベース縁縫製部１６の内側に沿って取付基部１５が縫着してある。これにより、一端側２０Ａと他端側２０Ｂとを折り曲げた止着部材２０（図１５の下に示す止着部材２０を参照）が、かつらベース１０の外周縁よりも外側にはみ出すことがなく、かつらベース１０の裏側に収まる。
【０１０２】
また、図１６に示すように、本実施形態の取付基部１５は、止着部材２０と同様に、基材としての透明樹脂フィルム１５１に、反射防止手段としてのネット状部材１５２を積層した二層構造になっている。取付基部１５は、かつらベース１０の裏面を基準として、透明樹脂フィルム１５１が上、ネット状部材１５２が下になるように、かつらベース１０の裏面に縫着してある。
【０１０３】
取付基部１５の材料は、特に限定されないが、かつら２の固定手段としての耐久性と接着性、及び巻き返しや折り曲げを容易に行える程度の柔軟性を有するものであれば、合成又は天然のあらゆるフィルム又はシート状の材料を、取付基部１５として用いることが可能である。
【０１０４】
＜かつらの装着手順＞
次に、上述した本実施形態に係るかつら２の装着手順について、図１７〜図１９を参照しつつ説明する。なお、図面を分かりやすくするために、図１４に示したかつら２の毛髪１１の図示は省略する。また、かつら２を装着者の頭部へ載置して、かつらベース１０の外周縁を捲る作業は、第１実施形態の図４（ａ）及び（ｂ）を用いて説明する。
【０１０５】
まず、図４（ａ）に示すように、本実施形態のかつら２を装着者の頭部に載置する。次いで、同図（ｂ）に示すように、かつらベース１０の前側、左右側、後側を順番に捲り、取付基部１５のうち所定の非固定部１５ｂ、１５ｂ、１５ｂ・・・を外部に露出させる。
【０１０６】
このとき、図１４に示すように、かつら２を装着者の頭部に載置する前に、予め所定の非固定部１５ｂ、１５ｂ、１５ｂ・・・に止着部材２０、２０、２０・・・を挿通しておいてもよいし、頭部に載置したかつらベース１０を捲ったときに、所定の非固定部１５ｂ、１５ｂ、１５ｂ・・・に止着部材２０、２０、２０・・・を挿通してもよい。本実施形態では、後者の手順を採ったものとして説明する。
【０１０７】
次いで、図１７に示すように、かつらベース１０を捲った箇所の非固定部１５ｂに止着部材２０を挿通し、その一端側２０Ａを折り曲げて、非固定部１５ｂの上に指で押さえ付ける。その後、先端が鉤状に曲がったスティック３０を、止着部材２０のスリット２４に挿通し、図１８に示すように、装着者の自毛１００をスリット２４から引き出す。
【０１０８】
第１実施形態と同様に、図１７に示す状態において、スリット２４から引き出す自毛１００は、かつらベース１０を捲っていない状態（図４を参照）にしたときに、スリット２４の近傍に生えている自毛１００を選ぶ。すなわち、スリット２４から自毛１００を引き出したときに、当該自毛１００の根本１０１（図１７の点線で囲った部分を参照）が、スリット２４の近傍に位置するように止着すると、かつら２を安定して固定することができる。
【０１０９】
次いで、図１９に示すように、スリット２４から自毛１００を適度に引き出した後は、この状態を維持しつつ、止着部材２０の他端側２０Ｂを折り曲げて、非固定部１５ｂの上で一端側２０Ａに重ね合わせる。そして、止着部材２０の他端側２０Ｂと一端側２０Ａとの間に自毛１００を挟んだ状態で、止着部材２０の他端側２０Ｂを一端側２０Ａに接着する。この接着は、例えば、接着剤又は両面テープのいずれによるものでもよい。接着剤と両面テープを併用してもかまわない。
【０１１０】
好ましくは、止着部材２０の折り曲げた一端側２０Ａ及び他端側２０Ｂのいずれもが、取付基部１５の非固定部１５ｂに接着しないよう、止着部材２０全体を環状に接着するとよい。止着部材２０と取付基部１５とを接着せず、止着部材２０に多少の回動範囲を残すことで、接着固定した自毛１００の引っ張りが緩和され、また、自毛１００に加わる外力が分散され、かつら２の装着感を良好にすることができる。
【０１１１】
ここで、第１実施形態と同様に、自毛１００の固定に用いる接着剤としては、従来から用いられているラテックス系、シリコーン系、エポキシ系又はポリウレタン系等の毛髪用接着剤を適用することが可能であるが、自毛１００を痛めない無溶剤系、水系の接着剤を用いることが好ましい。
【０１１２】
以上のような手順を繰り返し、例えば、かつらベース１０の前側、左右側、後側に位置する所定の非固定部１５ｂ、１５ｂ、１５ｂ・・・に挿通した全ての止着部材２０、２０、２０・・・を自毛１００に固定することで、本かつら２の頭部への装着は完了する。
【０１１３】
＜かつらの取り外し手順＞
図１９に示すように、本実施形態のかつら２では、止着部材２０を取付基部１５と接着せず、止着部材２０全体を環状に接着している。これにより、止着部材２０の自毛１００に接着していない箇所（すなわち、一端側２０Ａと他端側２０Ｂとの間）を、図中の横方向に鋏で切断することで、止着部材２０を取付基部１５の非固定部ｂから簡単に分離させることができる。
【０１１４】
図示しないが、取付基部１５の非固定部１５ｂから分離させた止着部材２０は、装着者の自毛１００の方に残るので、その後、止着部材２０に除去剤を塗布して接着剤を溶かし、切断した止着部材２０を簡単に自毛１００から取り除くことが可能である。
【０１１５】
＜作用効果＞
上述した本実施形態に係るかつら２は、第１実施形態と同様に、下記（１）〜（６）の作用効果を奏するほか、特に、下記（７）の作用効果を奏する。
【０１１６】
（１）取付基部１５を介して、止着部材２０をかつらベース１０の裏面に間接的に固定しているので、止着部材２０を取り付けるための接着剤や両面テープを、かつらベース１０の裏面に付着させる必要がない。これにより、かつら２の着脱時において、かつらベース１０に与える物理的又は化学的なダメージを大幅に低減することができ、長年にわたって着脱を繰り返しても、かつらベース１０の傷みは極めて少ない。
【０１１７】
（２）本実施形態のかつら２では、止着部材２０が使い捨てとなっており、接着剤や両面テープ、除去剤によって汚損した止着部材２０を取付基部１５から取り外し、かつら２を着脱する度に新しい止着部材２０に交換することができる。
【０１１８】
（３）止着部材２０を取付基部１５に固定しているので、止着部材２０を頻繁に交換してもかつらベース１０は傷まない。そして、長年の使用により、取付基部１５が疲労した場合には、止着部材２０とともに取付基部１５を交換すればよい。このとき、取付基部１５の固定箇所１５ａの位置を変更することで、かつらベース１０の特定部分が疲労することを防止でき、かつら２の長寿命化を図ることができる。
【０１１９】
（４）環状に接着した止着部材２０の非接着箇所（一端側２０Ａと他端側２０Ｂとの間）を切断することによって、装着者の頭部から簡単にかつら２を取り外すことが可能である。装着者の頭部からかつら２を取り外した後は、専用の作業スペースなどに移動して、かつら２の点検やメンテナンス、新しい止着部材２０の取付作業などを効率よく行うことが可能である。
【０１２０】
（５）かつら２から分離した止着部材２０は、装着者の自毛１００の方に残り、止着部材２０に付着した接着剤を除去剤で溶かして、自毛１００から簡単に取り除くことができる。接着剤や除去剤は、使い捨ての止着部材２０にしか付着せず、接着剤や除去剤でかつらベース１０や取付基部１５がダメージを受けることはない。このような止着部材２０の除去作業は、かつら２を完全に取り外した状態で行うことができるので、作業効率が極めて良く、装着者に痛みやストレスを感じさせず、スムーズに進めることが可能である。
【０１２１】
（６）止着部材２０の外側になる面に、反射防止手段としてのネット状部材２２を貼着しているので、かつらベース１０の内側に隠れた複数の止着部材２０、２０、２０・・・の反射を抑え、かつら２の外観をより自然に見せることができる。
【０１２２】
（７）取付基部１５をフィルム又はシート状としたことにより、薄く柔軟な取付基部１５及び止着部材２０が、装着者の頭部とかつらベース１０の裏面との間に平らに収まり、装着者に違和感を与えず、かつらの装着感を良好にすることができる。
【符号の説明】
【０１２３】
１  かつら
１０  かつらベース
１１  毛髪
１２Ａ  人工皮膚（生え際用）
１２Ｂ  人工皮膚（分け目、つむじ用）
１３  第１のレール部材（取付基部）
１３ａ  固定箇所
１３ｂ  非固定部
１４  第２のレール部材（取付基部）
１４ａ  固定箇所
１４ｂ  非固定部
１５  取付基部
１５ａ  固定箇所
１５ｂ  非固定部
１５１  透明樹脂フィルム（基材）
１５２  ネット状部材（反射防止手段）
１６  ベース縁縫製部
２０  止着部材
２０Ａ  一端側
２０Ｂ  他端側
２１  透明樹脂フィルム（基材）
２１ａ  凹部又は凸部
２１ｂ  微小突起
２２  ネット状部材（反射防止手段）
２３  折り目線
２４  スリット
２５ａ、２５ｂ、２５ｃ  複数のスリット
３０  スティック
４０  補強シート（又はフィルム）
１００  装着者の自毛
１０５  根本
２００  鋏
【図１】
0006050049.tif 000002
【図２】
0006050049.tif 000003
【図３】
0006050049.tif 000004
【図４】
0006050049.tif 000005
【図５】
0006050049.tif 000006
【図６】
0006050049.tif 000007
【図７】
0006050049.tif 000008
【図８】
0006050049.tif 000009
【図９】
0006050049.tif 000010
【図１０】
0006050049.tif 000011
【図１１】
0006050049.tif 000012
【図１２】
0006050049.tif 000013
【図１３】
0006050049.tif 000014
【図１４】
0006050049.tif 000015
【図１５】
0006050049.tif 000016
【図１６】
0006050049.tif 000017
【図１７】
0006050049.tif 000018
【図１８】
0006050049.tif 000019
【図１９】
0006050049.tif 000020